(57)【特許請求の範囲】
【請求項１】
モータを収納する外枠であるハウジングと、
前記モータの回転を伝達するギヤと、
該ギヤを介して回転駆動されるノコ刃と、
前記ハウジングに取付けられ、前記ノコ刃外周のほぼ上側半分を覆う形状をしたソーカバーと、
前記ノコ刃外周のほぼ下側半分を覆う形状をした該ノコ刃を保護するセーフティーカバーと、
前記ソーカバー或いは前記ハウジングと連結され、被切断材上を摺動可能な底面を持ち、前記ノコ刃を前記底面より下方に突出可能なベースと、
スイッチを収納し、且つ前記ハウジングと両端が連設され、前記ノコ刃の側面にほぼ平行に配置されたハンドルであって、把持部に該ハンドルよりも軟質な材料からなる軟質層を形成したハンドルとを備えた携帯用電動丸のこにおいて、
前記ベース底面が上方に向く様に、前記丸のこを建材のほぼ水平な面上に置いた際に、前記ハンドル表面の第１の箇所と、前記電動丸のこの端部上の第２の箇所と、前記ベースから上方の高さ位置において、前記第１の箇所と、前記第２の箇所との間に位置する前記電動丸のこの部材における第３の箇所において、前記建材に接触するようにし、
前記建材と接触する第２の箇所及び第３の箇所にも、前記第１の箇所と同じ軟質部を設けたことを特徴とする携帯用電動丸のこ。
【請求項２】
請求項１において、前記第３の箇所は、前記ソーカバーの表面の一部であることを特徴とする携帯用電動丸のこ。
【請求項３】
前記軟質部は、前記ハウジングよりも軟質な樹脂を射出成形し、溶着することにより形成されることを特徴とする請求項１又は請求項２記載の携帯用電動丸のこ。
【請求項４】
請求項１において、前記ベース底面が上方に向く様に、建材のほぼ水平な面上に置き、前記３箇所を建材上に接触させた際には、電動丸のこ本体の重心から鉛直方向に下ろした垂線が前記建材上面と交わる点が、前記３箇所を結んだ三角形の仮想面の内側に位置するように構成したことを特徴とする携帯用電動丸のこ。
【請求項５】
請求項２において、前記ソーカバー表面に軟質部が存在する部分と存在しない部分を連続して設け、前記ソーカバー表面に複数の凹凸段差を設けたことを特徴とする携帯用電動丸のこ。
【発明の詳細な説明】
【技術分野】
【０００１】
本発明は、携帯用電動丸のこに関するものでる。
【背景技術】
【０００２】
従来の携帯用電動丸のこ１６について、図２を用いて説明する。
【０００３】
図２は携帯用電動丸のこ１６の一例を示す斜視図である。ハンドル１０を把握する手の滑り止めとして、また握り心地を良くして操作性及び作業性を向上させる目的で、ハンドル１０を形成する硬質層１２より軟質のエラストマー等から形成された軟質層１３（斜線部）をハンドル１０やサブハンドル１１の表面に設けている。
【発明の開示】
【発明が解決しようとする課題】
【０００４】
上記した従来の電動丸のこ１６は、ベース８から下方に突出しているセーフティカバー７の変形防止の為、ベース底面８ａが上方を向く様に、建材のほぼ水平な面上に逆さに置く場合がある。その際、ソーカバー６は硬質の金属又は樹脂により形成されている為、前記建材を傷つけたり、衝撃でソーカバー６自体が変形する場合があった。
【０００５】
また、屋根などの傾斜面に電動丸のこ１６を逆さに置いたときに滑りやすいという問題があった。
【０００６】
本発明の目的は、上記の欠点を解消し、ベース底面が上方を向く様に、逆に置いても建材に傷をつけず、ソーカバーが変形しにくい、傾斜面でも滑りにくい携帯用電動丸のこを提供することである。
【課題を解決するための手段】
【０００７】
上記の目的を達成するために本発明は、モータを収納する外枠であるハウジングと、前記モータの回転を伝達するギヤと、該ギヤを介して回転駆動されるノコ刃と、前記ハウジングに取付けられ、前記ノコ刃外周のほぼ上側半分を覆う形状をしたソーカバーと、前記ノコ刃外周のほぼ下側半分を覆う形状をした該ノコ刃を保護するセーフティーカバーと、前記ソーカバー或いは前記ハウジングと連結され、被切断材上を摺動可能な底面を持ち、前記ノコ刃を前記底面より下方に突出可能なベースと、スイッチを収納し、且つ前記ハウジングと両端が連設され、前記ノコ刃の側面にほぼ平行に配置されたハンドルであって、把持部に該ハンドルよりも軟質な材料からなる軟質層を形成したハンドルとを備えた携帯用電動丸のこにおいて、前記ベース底面が上方に向く様に、前記丸のこを建材のほぼ水平な面上に置いた際に、前記ハンドル表面の第１の箇所と、前記電動丸のこの端部上の第２の箇所と、前記ベースから上方の高さ位置において、前記第１の箇所と、前記第２の箇所との間に位置する前記電動丸のこの部材における第３の箇所において、前記建材に接触するようにし、前記建材と接触する第２の箇所及び第３の箇所にも、前記第１の箇所と同じ軟質部を設けたことことに一つの特徴を有する。
【発明の効果】
【０００８】
本発明の電動丸のこは、ベース底面が上方を向く様に、建材のほぼ水平な面上に逆さに置いたときに、建材に接触する部分に軟質部を設けたため、建材が傷つきにくい。また、ソーカバー表面にハウジングよりも軟質な材料からなる軟質部を設けることにより、硬質なソーカバー表面に設けられた軟質層が衝撃を緩和する為、ソーカバー自体を変形しにくくすることができる。また、傾斜面に置いたときにも滑りにくくなる。
【０００９】
また、前記軟質部を、ソーカバー表面にハウジングよりも軟質な樹脂を射出成形し溶着することで形成したことにより軟質部とソーカバーとの一体感を与えることができると共に、ソーカバー表面から軟質部が剥がれ難い構成とすることができる。
【００１０】
また、ハンドルの一部表面にハンドル表面よりも軟質な材料からなる軟質部を形成すると共に、ベース底面が上方に向く様、建材のほぼ水平な面上に置いたとき、ソーカバー表面上の軟質部の一部とハンドル表面上の軟質部の一部が建材上に接触する構成としたことにより、操作性を向上させることができ、更により建材に傷がつくこと及び建材との衝突によって本体が傷つくことを抑制することができると共に、傾斜面に置いたときでもよりすべり難い携帯用電動丸のこを提供することができる。
【００１１】
また、ベース底面が上方に向く様、建材のほぼ水平な面上に置いたとき、ソーカバー表面上の軟質部の一部とハンドル表面上の軟質部の一部と共に建材上に接触する第３の箇所にも軟質部を形成したことにより、建材に傷がつくこと及び建材との衝突によって本体が傷つくことを抑制することができる携帯用電動丸のこを提供することができる。
【００１２】
また、ベース底面が上方に向く様、建材のほぼ水平な面上に置き、３箇所を健材上に接触させた際には、本体の重心から鉛直方向に下ろした線が建材上面と交わる点が３箇所と結ぶ仮想面内に位置する構成としたことにより、逆向きで置いた際の安定性を向上させることができる。
【００１３】
また、ハンドルよりも切断方向前方側に位置するサブハンドルを設け、サブハンドル及びハンドルの一部表面にサブハンドル及びハンドルよりも軟質な材料からなる軟質部を形成し、電動丸のこをベース底面が上方に向く様、建材のほぼ水平な面上に逆さに置いたときに、ソーカバー表面上の軟質部の一部、ハンドル表面上の軟質部の一部及びサブハンドル表面上の軟質部の一部を含む少なくとも３箇所が建材上に接触する構成としたことにより、操作性の向上を図ることができると共に、逆向きで置いた際の安定性をより向上させることができる。
【００１４】
また、ソーカバー表面に突出する軟質部が存在する部分と存在しない部分を連続して設け、ソーカバー表面に複数の凹凸段差を設けたことにより、軟質部の材料を抑えることができる共に傾斜面上に置いた場合に、凹凸形状ゆえに滑り止め効果を向上させることができる。更にソーカバー表面に異なる光沢を与えることができ、デザイン性を向上させることができる。
【発明を実施するための最良の形態】
【００１５】
本発明電動丸のこの一実施形態を図１、図３、図４、図６を用いて説明する。
【００１６】
図１、図３及び図４において本発明電動丸のこ１５は、モータ１を収容する外枠であるハウジング２と、モータ１の回転を伝達するギヤ３と、ギヤ３を介して回転駆動されるノコ刃４と、ハウジング２に取付けられ、ノコ刃４外周のほぼ上側後方半分を覆う形状をしたギヤ３を収納する外枠であるギヤカバー５と、ギヤカバー５に取付けられられるかもしくは一体となったノコ刃４外周のほぼ上側前方半分を覆う形状をした外枠であるソーカバー６、とノコ刃４の外周ほぼ下側半分を覆う形状をしノコ刃４を保護するセーフティーカバー７と、ギヤカバー５と連結され被切断材上を摺動可能な底面８ａを持ちノコ刃４を底面８ａより下突出可能な開口部８ｂを有するベース８と、スイッチ９を収納し、かつハウジング２と両端が連設されるハンドル１０と、ハンドル１０前方に突起した形状のサイドハンドル１１とにより構成されている。
【００１７】
本実施形態のギヤカバー５とソーカバー６が、本発明のソーカバーに該当する。
【００１８】
図に示すように、ギヤカバー５あるいはソーカバー６またあるいはギヤカバー５とソーカバー６には硬質層１２の表面にハウジング２よりも軟質の材料からなる軟質層１３（軟質部）が形成されている。
【００１９】
以下、軟質層１３の効果について説明する。
【００２０】
図１に示す様に、電動丸のこ１５をベース８から下方に突出しているセーフティーカバー７の変形防止の為、ベース底面８ａが上方を向く様、図示しない建材のほぼ水平な面上に逆さに置いた場合、電動丸のこ１５はソーカバー６上の接触箇所１５ａ、ハンドル１０上の接触箇所１５ｂ及びサイドハンドル上の接触箇所１５ｃの３箇所で支持され、安定する。この状態で、電動丸のこ１５の図示しない重心から鉛直方向に下ろした垂線が前記建材のほぼ水平な面と交わる点１５ｄは、電動丸のこ１５を支持している前記３箇所を結んだ三角形の仮想面内に位置する。
【００２１】
電動丸のこ１５の前記３箇所は軟質層１３で覆われている為、前記建材は傷つきにくくなる。また、ソーカバー６上の接触箇所１５ａが軟質層１３で覆われているので、電動丸のこ１５を前記建材のほぼ水平な面上に逆さに置くときに、衝撃が緩和されてソーカバー６は変形しにくくなる。またあるいは、電動丸のこ１５を屋根などの傾斜面上に逆さに置いたときに滑りにくくなり、高所での作業性が向上する。
【００２２】
また図６に示すとおり、硬質層１２の表面は軟質層１３の表面から断続的に表れているので、硬質層１２の表面を全て軟質層１３で覆った場合に比べて、軟質層１３を形成するエラストマーなどの材料が少なくてすみ、原価を安くできる。加えて傾斜面上に置いた場合に、凹凸形状ゆえに滑り止め効果が高い。
【００２３】
また、電動丸のこ１５の硬質層１２と軟質層１３を色違いにすることによって人目を引く外観になるため、店頭等で目立ち、販売促進効果を高めることができる。また、軟質、硬質にかかわらず、一層目と二層目を同じ硬度で、それぞれ色を変えるだけでも良い。
図５に本発明の別の実施形態を示す。サイドハンドルが無い電動丸のこ１７をベース８から下方に突出しているセーフティーカバー７の変形防止の為、ベース底面８ａが上方を向く様、図示しない建材のほぼ水平な面上に逆さに置いた場合、電動丸のこ１７はソーカバー６上の接触箇所１７ａ、ハンドル１０上の接触箇所１７ｂ及び電動丸のこ１７の端部上の接触箇所１７ｃの３箇所で支持され、安定する。この状態で、電動丸のこ１７の図示しない重心から鉛直方向に下ろした垂線が前記建材のほぼ水平な面と交わる点１７ｄは、電動丸のこ１７を支持している前記３箇所を結んだ三角形の仮想面内に位置する。
【００２４】
電動丸のこ１７の前記３箇所をハウジング２よりも軟質の材料からなる軟質層１３で覆うことにより、サイドハンドルを有する電動丸のこ１５と同等の効果が得られる。
【００２５】
なお、前記軟質層１３の硬度は、日本工業規格（ＪＩＳ）で規定された４０Ａ〜９０Ａの範囲であることが望ましい。
【図面の簡単な説明】
【００２６】
【図１】本発明携帯用電動丸のこの一実施形態を示す斜視図。
【図２】従来の携帯用電動丸のこの一例を示す斜視図。
【図３】本発明携帯電動丸のこの一実施形態を示す正面図。
【図４】本発明携帯電動丸のこの一実施形態を示す右側面図。
【図５】本発明携帯用電動丸のこの別の実施形態を示す斜視図。
【図６】図1のＡ−Ａ断面図。
【符号の説明】
【００２７】
１はモータ、２はハウジング、３はギヤ、４はノコ刃、５はギヤカバー、６はソーカバー、７はセーフティーカバー、８はベース、８aはベース底面、８ｂは開口部、９はスイッチ、１０はハンドル、１１はサイドハンドル、１２は硬質層、１３は軟質層である。
【図１】
0004645332.tif 000002
【図２】
0004645332.tif 000003
【図３】
0004645332.tif 000004
【図４】
0004645332.tif 000005
【図５】
0004645332.tif 000006
【図６】
0004645332.tif 000007